(57)【要約】      （修正有）【課題】従来は入力軸と出力軸の軸の太さが同じで回転数も同じ回転をして馬力を増すことが出きなかった。入力軸と出力軸の軸の太さが同じで回転数も同じで馬力を増すことを目的として孝えた増倍機である。【解決手段】入力軸と出力軸の間に部品２を入れて入力軸１の溝Ａに部品２の爪Ｂを噛み合わせ、部品２に１の力を伝え、側盤外側５の溝Ｄに部品２の爪Ｃを噛合せて側盤を回転させルことにより、馬力を増しながら出力軸６を回転させる。【選択図】図１
2017026135.tif 000002
【特許請求の範囲】
【請求項１】
入力軸▲１▼と出力軸▲６▼の間に、（２個の部品）１個の半円形のへこみのある部品図▲２▼を利用して馬力を増倍する方法を孝えた。
入力軸図▲１▼のＡの溝に噛合ったＢの爪から１は１で力がＣの爪に伝わってＤの溝に噛合って側盤外側▲５▼と出力軸▲６▼を回転させて入力の何倍かの出力を得ることが出きる用うに孝えた馬力増倍機である。
【発明の詳細な説明】
【技術分野】
【０００１】本発明は入力軸と出力軸の軸の太さが同じて、また入力軸と出力軸の回転数が同じ回転をして馬力を増倍する機械である。入力軸と出力軸の間に２個の部品を利用して馬力を増倍する方法。この増倍機を１個ずつ歯車で切り放して何個も接続して使用すると掛け算で馬力を何倍にも増倍して使用する今が出きる馬力増倍機である。
【背景技術】
【０００２】従来は入力軸と出力軸の軸が同じ太さで同じ回軸数をして馬力を増倍する今が出きなかった。
【先行技術文献】
【０００３】
【発明の概要】
【発明が解決しようとする課題】
【０００４】入力軸と出力軸の軸の太さが同じで回転数も同じ回転をして、小さな力で大きな馬力を出力軸に出すことが出きなかった。この課題を解消するために孝えたものである。
【課題を解決するための手段】
【０００５】入力軸▲１▼と出力軸▲６▼の間に部品▲２▼▲５▼を利用して馬力を増すことを孝えた。入力軸▲１▼と出力軸▲６▼の間で馬力を増す方法は部品前面図▲３▼を見てわかる通り入力軸図▲１▼を回転させるとＡの溝に部品▲２▼のＢの爪が噛合ってＣの爪に１は１の力が伝って側盤外側▲５▼のＤの溝にＣの爪が噛合って力が側盤を伝って出力軸を回転させて馬力を得る用うにした。
入力軸の軸の太さが１０ｍｍとＡの溝のついた軸の太さが２０ｍｍと半円形のへこみのある部品図▲２▼のＢの爪とおさえ２ｍｍをたすと２２ｍｍになる。これを計算すると軸の太さ１０ｍｍに１馬力を加えて２０ｍｍのＡの溝の付いた軸を割った数１０割２０和０．５馬力になる。それに２２ｍｍたす２ｍｍは円で２４ｍｍに見る。
２４ｍｍ割２０ｍｍは１．２になる。０．５馬力割１．２和０．４１６の馬力になる。部品図▲２▼を利用すると４４ｍｍのＥからＢの爪に２２ｍｍＣの爪に２２ｍｍである。
２２割２２和１である、ようするにＢの爪の力はＣの爪にも同じ力でつたわる。
またＢの爪に０．４１６馬力を加えると１割１和１で０．４１６馬力の力がＣの爪に伝わる。側盤外側▲５▼の６５ｍｍと出力軸の軸の太さ１０ｍｍは６５割１０和６．５になる。０．４１６馬力は６．５倍の２．７馬力になって、出力軸を回転させる増倍機である。
【発明の効果】
【０００６】入力軸と出力軸の間に２個の部品▲２▼▲５▼を利用して馬力を増倍して使うと馬力増倍機として利用できる。また自動車や発電所な
2017026135.tif 000003
【図面の簡単な説明】
【０００７】▲１▼馬力増倍機本体横面図
▲２▼部品入力軸図▲１▼である
▲３▼部品図▲２▼である
▲４▼本発明の前面図▲３▼である
▲５▼本発明の断面図▲４▼である
【発明を実施するための形態】
【０００８】入力軸▲１▼と出力軸▲６▼の間だに２個の部品▲２▼▲５▼を入れて馬力を増倍する方法。入力軸図▲１▼のＡの溝に噛合った部品▲２▼のＢの爪からＣの爪に１は１の力をその間々部品前面図▲３▼の側盤外側▲５▼のＤの溝につたわり出力軸を回転させて馬力を増倍する用うになっている。
【符号の説明】
【０００９】▲１▼入力軸と溝Ａ
▲２▼部品▲２▼はＢの爪の力が１対１でＣの爪に伝える
▲３▼部品前面図
▲４▼部品断面図
▲５▼側盤外側と溝Ｄ
▲６▼出力軸
【図１】
2017026135.tif 000004
【手続補正書】
【提出日】平成27年10月26日(2015.10.26)
【手続補正２】
【補正対象書類名】明細書
【補正対象項目名】０００７
【補正方法】変更
【補正の内容】
【０００７】
【図１】馬力増倍機本体断面図である。
【手続補正書】
【提出日】平成27年10月26日(2015.10.26)
【手続補正１】
【補正対象書類名】明細書
【補正対象項目名】全文
【補正方法】変更
【補正の内容】
【発明の詳細な説明】
【技術分野】
【０００１】入力軸と出力軸の軸の太さが同じで、また入力軸と出力軸の回転数が同じ回転をして馬力を増倍する機械である。入力軸と出力軸の間に２個の部品を利用して馬力を増倍する方法。この増倍機を１個ずつ歯車で切り放して何個も接続して使用すると掛け算で馬力を何倍にも増倍して使用する今が出きる馬力増倍機である。
【背景技術】
【０００２】従来は入力軸と出力軸の軸が同じ太さで同じ回転数をして馬力を増倍する今が出きなかった。
【先行技術文献】
【０００３】
【発明の概要】
【発明が解決しようとする課題】
【０００４】入力軸と出力軸の軸の太さが同じで回転数も同じ回転をして、小さな力で大きな馬力を出力軸に出すことが出きなかった。
この課題を解決するために孝えた物である。【０００５】入力軸と出力軸の間に図３の半円形のへこみのある部品と側盤を利用して馬力を増すことを孝えた。入力軸と出力軸の間で馬力を増す方法は部品前面図５を見てわかる通り、入力軸図２を回転させるとＡの溝に図３の半円形のへこみのある部品のＢの爪が噛合ってＣの爪に伝える。側盤外側のＤの溝にＣの爪が噛合って力が側盤を伝って出力軸を回転させて馬力を増倍する用うにした。図３のＢの爪の力０．４７６馬力からＣの爪につたわる力は０．４７６割る１．１２は０．４２５割る１．０５は０．４０４の力がＣの爪に伝わる。
Ｃの爪から側盤外側のＤの溝に噛合った力を伝えて側盤をつたわって出力軸を回転させる。側盤外側７５ｍｍの円と内側６５ｍｍと出力軸の軸の太さ１０ｍｍは６５割１０和６．５になる。
馬力０．４０４掛ける６．５倍は２．６２馬力になって出力軸を回転させる馬力増倍機である。
【発明の効果】
【０００６】入力軸と出力軸の間に２個の部品図３、図５を利用して馬力を増倍して使うと馬力増倍機として利用できる。
また、自動車や発電所などの源動機として利用し大気汚染Ｃｏ２の削減にも効果がある。
【図面の簡単な説明】
【０００７】
【図１】馬力増倍機本体断面図である。
【図２】入力軸にＡの溝を付けた部品である。
【図３】Ｂの爪の力０．４７６割１．１２は０．４２５割１．０５は０．４０４の力をＣの爪に伝える部品である。
【図４】部品前面図で入力軸図２と図３が入っている。
【図５】部品断面図で、入力軸の馬力を増倍しながら出力軸に伝える。
【発明を実施するための形態】
【０００８】入力軸と出力軸の間だに２個の部品図３と図５を入れて馬力を増倍する方法。入力軸図２のＡの溝に噛合った部品図３のＢの爪からＣの爪に馬力０．４７６は０．４０４の馬力になって伝えて部品前面図４の側盤外側のＤの溝につたわり出力軸を回転させて馬力を倍増する用うになっている。
【符号の説明】
【０００９】１  馬力増倍機本体
２  入力軸とＡの溝
３  Ｂの爪の力を０．４７６は０．４０４の力になってＣの爪に伝える部品
４  部品前面図とＤの溝
５  部品断面図と出力軸
６
【手続補正２】
【補正対象書類名】図面
【補正対象項目名】全図
【補正方法】変更
【補正の内容】
【図１】
2017026135.tif 000005
【図２】
2017026135.tif 000006
【図３】
2017026135.tif 000007
【図４】
2017026135.tif 000008
【図５】
2017026135.tif 000009
【手続補正３】
【補正対象書類名】特許請求の範囲
【補正対象項目名】全文
【補正方法】変更
【補正の内容】
【特許請求の範囲】
【請求項１】
入力軸と出力軸の問に２個の部品１個は半円形のへこみのある部品３図と側盤と部品断面図５を利用して馬力を増倍する方法を孝えた。入力軸のＡの溝に噛合ったＢの爪の力０．４７６は０．４０４の力になってＣの爪に伝わってＤの溝に噛合って側盤外側と出力軸を回転させて入力の何倍かの出力を得ることが出きる用うに孝えた馬力増倍機である。
【手続補正書】
【提出日】平成28年8月29日(2016.8.29)
【手続補正１】
【補正対象書類名】明細書
【補正対象項目名】全文
【補正方法】変更
【補正の内容】
【発明の詳細な説明】
【技術分野】
【０００１】入力軸と出力軸の軸の太さが同じで、また入力軸と出力軸の回転数が同じ回転をして馬力を増倍する機械である。入力軸と出力軸の間に２個の部品を利用して馬力を増倍する方法。この増倍機を１個
2017026135.tif 000010
する今が出きる馬力増倍機である。
【背景技術】
【０００２】従来は入力軸と出力軸の軸の太さが同じで回転数も同じで馬力を増倍する今が出きなかった。
【先行技術文献】
【０００３】自分で孝えた入力軸馬力増倍機を孝えている内に、馬力をもっと増倍することが出きないかと孝え、思いついたのが特願２０１５−１６８３３５である
【図面の簡単な説明】
【０００４】
【図１】馬力増倍機本休断面図である。
【図２】入力軸にＡの溝を付けた部品である。
【図３】Ｂの爪の力０．４７６割る１．１７６は０．４０４の力をＣの爪に伝える部品である。
【図４】部品前面図で入力軸図２と図３が入っている。
【図５】部品断面図で入力軸の馬力を増倍しながら出力軸に伝える